(57)【要約】【課題】電源変動による発振停止検出回路の誤動作を防止するとともに、発振停止検出回路の消費電流を削減することである。【解決手段】電源電圧を発生させるための電源と、クロック発生源と、該クロック発生源からのクロックをもとに複数のクロックに分周し、出力するための分周回路と、前記電源の変動を予測するための電源電圧変動予測手段と、該電源電圧変動予測手段から得られた情報を基に前記複数のクロックを選択的に切り替えるための周波数選択回路と、該周波数選択回路により選択されたクロックをもとに前記クロック発生源の発振異常を検出するための発振停止検出回路とからなることを特徴とする発振停止検出装置を提供する。【選択図】      図１
2004165872.tif 000002
【特許請求の範囲】
【請求項１】
電源電圧を発生させるための電源と、クロック発生源と、該クロック発生源からのクロックをもとに複数のクロックに分周し、出力するための分周回路と、前記電源の変動を予測するための電源電圧変動予測手段と、該電源電圧変動予測手段から得られた情報を基に前記複数のクロックを選択的に切り替えるための周波数選択回路と、該周波数選択回路により選択されたクロックをもとに前記クロック発生源の発振異常を検出するための発振停止検出回路とからなることを特徴とする発振停止検出装置。
【請求項２】
前記電源は複数の蓄電池からなり、前記電源電圧変動予測手段の情報をもとに蓄電池選択回路により前記複数の蓄電池のいずれかを選択してなることを特徴とする請求項１に記載の発振停止検出装置。
【請求項３】
前記電源電圧変動予測手段は外部からの外部負荷情報信号により予め電源の変動を予測することを特徴とする請求項１に記載の発振停止検出装置。
【発明の詳細な説明】
【０００１】
【発明の属する技術分野】
本発明は、クロック発生源が正常に発振しているか否かを判別する発振停止検出装置に関するものである。
【０００２】
【従来の技術】
本明細書では、発振しているか否かを検出する主要な部分を発振停止検出回路と呼び、クロック発生源と、分周回路と、発振停止検出回路とを含めたシステム全体のことを発振停止検出装置と呼ぶことにする。
【０００３】
図３は、従来の発振停止検出装置の概要構成図である。クロック発生源１０から出力されるクロック信号ＣＬＫ０は、分周回路１１の入力となり、分周回路１１にて所望の周波数に分周されたクロック信号ＣＬＫは、発振停止検出回路４８の入力クロックとなる。発振停止検出回路４８から出力される情報が発振停止検出信号となる。
【０００４】
次に図４にて、発振停止検出回路４８の回路図を示す（例えば、特許文献１参照）。なお、若干の回路構成は異なるが、発振停止検出回路の動作は、同様である。
【０００５】
【特許文献１】
特開平１４−４３９０６号公報（第３−５頁、第１図）
【０００６】
図４の発振停止検出回路４８は、図３の分周回路より入手したクロック信号ＣＬＫを入力としている。クロック信号ＣＬＫには、インバータ４１の入力が接続され、更に２入力ノアゲート４２の入力の一端が接続され、インバータ４１の出力Ｎ１は、２入力ノアゲート４２の入力の他端に接続されている。なお、インバータ４１は遅延を生じさせるようにゲート長は大きなもの、または高抵抗素子、容量素子を併せ持つ形で構成する。２入力ノアゲート４２の出力Ｎ２は、インバータ４３の入力と、ＮチャネルＭＯＳトランジスタ（以下、「ＮＭＯＳ」と記載する）４４のゲートと接続され、インバータ４３の出力Ｎ３は、ＮＭＯＳ４４のドレインと接続されている。ＮＭＯＳ４４のバルクソースＮ４は、高抵抗素子４５の一端と、容量素子４６の一端と、インバータ４７の入力と接続され、高抵抗素子４５の他端と、容量素子４６の他端は接地電位ＧＮＤと接続されている。インバータ４７の出力が出力端子となり、検出信号ＯＵＴが出力される。
【０００７】
図５は、図４の発振停止検出回路４８の動作を示すタイミングチャートである。ＶＳＳは電源電位である。接地電位ＧＮＤ方向のレベルを“Ｈ”、電源電位ＶＳＳ方向のレベルを“Ｌ”と記載する。図５の時刻Ｔ１で、発振停止検出回路４８の入力端子にレベル“Ｌ”のクロック信号ＣＬＫが入力されると、インバータ４１の出力Ｎ１は、僅かな時間を置いた後（時刻ｔ１）、“Ｌ”から“Ｈ”に切り替わる。２入力ノアゲート４２の出力Ｎ２は、時刻Ｔ１から時刻ｔ１の僅かな時間であるが、“Ｈ”となり、インバータ４１の出力Ｎ１が“Ｈ”になると、２入力ノアゲート４２の出力Ｎ２は“Ｌ”に切り替わる。インバータ４３の出力Ｎ３は、２入力ノアゲートの動作の反転であるので、時刻Ｔ１から時刻ｔ１の間は“Ｌ”であり、時刻ｔ１以降は“Ｈ”となる。
【０００８】
ＮＭＯＳ４４の動作としては、時刻Ｔ１から時刻ｔ１の間は、ゲート電位としては２入力ノアゲート４２の出力Ｎ２から“Ｈ”が入力、ドレイン電位としてはインバータ４３の出力Ｎ３から“Ｌ”が入力されているので、ＮＭＯＳ４４のバルクソース電位Ｎ４は“Ｌ”となり、インバータ４７の出力ＯＵＴは、反転して“Ｈ”となる。時刻ｔ１以降は、ＮＭＯＳ４４の動作は、ゲート電位としては２入力ノアゲート４２の出力Ｎ２から“Ｌ”が入力、ドレイン電位としてはインバータ４３の出力Ｎ３から“Ｈ”が入力されているので、ＮＭＯＳ４４のバルクソース電位Ｎ４への電位供給はなくなり、接地電位ＧＮＤと接続された高抵抗素子４５と、容量素子４６により、緩やかではあるが、“Ｈ”側へと上昇していく。
【０００９】
次に、時刻Ｔ２の動作を説明する。時刻Ｔ２で、レベル“Ｈ”のクロック信号ＣＬＫが入力されると、インバータ４１の出力Ｎ１は、僅かな時間を置いた後、“Ｈ”から“Ｌ”に切り替わるが、２入力ノアゲート４２の出力Ｎ２は、“Ｌ”のままであり、インバータ４３の出力Ｎ３は“Ｈ”のままである。
【００１０】
ＮＭＯＳ４４の動作としては、ゲート電位としては２入力ノアゲート４２の出力Ｎ２から“Ｌ”が入力、ドレイン電位としてはインバータ４３の出力Ｎ３から“Ｈ”が入力されているので、ＮＭＯＳ４４のバルクソース電位Ｎ４への電位供給はなくなったままで、接地電位ＧＮＤと接続された高抵抗素子４５と、容量素子４６により、緩やかな“Ｈ”側への上昇を継続する。
【００１１】
時刻Ｔ３の動作は、時刻Ｔ１の動作と同様である。“Ｌ”のクロック信号ＣＬＫが入力されると、インバータ４１の出力Ｎ１は、僅かな時間を置いて“Ｌ”から“Ｈ”に切り替わる。２入力ノアゲート４２の出力Ｎ２は、僅かな時間であるが、“Ｈ”となり、その後“Ｌ”に切り替わる。インバータ４３の出力Ｎ３は、僅かな時間であるが、“Ｌ”となり、その後“Ｈ”に切り替わる。
【００１２】
ＮＭＯＳ４４の動作としては、僅かな時間ではあるが、ゲート電位としては２入力ノアゲート４２の出力Ｎ２から“Ｈ”が入力、ドレイン電位としてはインバータ４３の出力Ｎ３から“Ｌ”が入力されているので、緩やかに“Ｈ”側へと上昇し続けていたＮＭＯＳ４４のバルクソース電位Ｎ４は強制的に“Ｌ”となり、インバータ４７の出力ＯＵＴは“Ｈ”となる。
【００１３】
クロック信号ＣＬＫが入力され続ける（時刻Ｔ１からＴ５）と、ＮＭＯＳ４４のバルクソースＮ４と、高抵抗素子４５と、容量素子４６と接続されているインバータ４７のゲート電位は、強制的なレベル“Ｌ”と緩やかな“Ｈ”側への上昇を繰り返し、インバータ４７のゲート電位がインバータの持つ閾値電圧Ｖｔ（例えば、電源電圧の１／２）を超えない限りは、インバータ４７の出力ＯＵＴは“Ｈ”のままであり、発振停止検出回路４８は正常な発振が継続していると判断する。
【００１４】
時刻Ｔ５でクロック発生源から発振停止検出回路４８へのクロック入力がなくなると、ＮＭＯＳ４４のバルクソース電位Ｎ４は“Ｈ”側へ上昇し始めるが、時刻Ｔ６においてインバータ４７のゲート電位がインバータの持つ閾値電圧Ｖｔを超えた場合（Ａ点）は、インバータ４７の出力ＯＵＴは“Ｌ”へと切り替わり（Ｂ点）、発振停止検出回路４８は発振が停止したものと判断する。
【００１５】
しかしながら、従来の発振停止検出装置では、何らかの要因により急激に電源電圧変動が生じた場合、クロック発生源からは、クロック信号が供給されているにもかかわらず、発振が停止したと誤った判断をしてしまうという課題があった。
【００１６】
図６および図４を用いて、急激な電源電圧変動があった場合の発振停止検出回路の動作について説明する。図６の時刻Ｔ１からＴ４までは、クロック発生源からクロック信号が出力されている状態で、急激な電源電圧変動がない場合を示している。発振停止検出回路４８の個々の出力に関しては、図５を用いて説明したので省略する。
【００１７】
図６では、時刻Ｔ５の直前で電源電圧変動が起こった場合について示している。時刻Ｔ５の直前というのは、ＮＭＯＳ４４のバルクソースＮ４と接続しているインバータ４７のゲート電位が閾値電圧Ｖｔに一番近づいている状態である。この状態において、急激な電源電圧変動があった場合（Ｃ点）、インバータ４７のゲート電位は高抵抗素子４５と、容量素子４６の影響により“Ｈ”側へ緩やかに上昇中であるので、電源電圧変動の影響をあまり受けない。しかしながら、インバータ４７のバルクソース電位は、急激な電源電圧変動に対して追従し、インバータ４７の閾値電圧Ｖｔは電源電圧変動前に比べて変動してしまい（Ａ点）、インバータ４７のゲート電位は閾値電圧Ｖｔを超えてしまうので、インバータ４７の出力ＯＵＴは、レベル“Ｌ”が出力し（Ｂ点）、クロック発生源からはクロック信号が供給されているにもかかわらず、発振停止検出回路４８は発振が停止したと誤った判断をしてしまう。
【００１８】
【発明が解決しようとする課題】
従来の技術は電源電圧変動がない場合、クロック発生源の発振停止を検出するのに有効な手段であるが、急激な電源電圧変動が存在する場合には、発振停止検出回路の最終出力インバータのゲート電位が高抵抗素子と、容量素子の影響により緩やかな“Ｈ”側へと上昇中、すなわち最終出力インバータのゲート電位は変動がないにもかかわらず、急激な電源電圧変動に伴って、最終出力インバータのバルクソース電位は大きく変動するため、インバータの持つ閾値電圧Ｖｔが変化してしまい、クロック発生源からはクロック供給しているのに、発振停止検出回路は発振が停止したと誤った判断をしてしまい、支障を来すという課題があった。
【００１９】
本発明は、上記課題を解決するためのものであり、急激な電源電圧変動をしても、電源電圧変動予測手段より情報を入手することにより、発振停止検出回路に入力するクロック周波数を選択的に切り替え、誤動作のない発振停止検出装置を提供することにある。
【００２０】
【課題を解決するための手段】
上記目的を達成するために本発明の発振停止検出装置は、下記記載の構成を採用する。
【００２１】
本発明に関わる発振停止検出装置は、電源電圧を発生させるための電源と、クロック発生源と、該クロック発生源からのクロックをもとに複数のクロックに分周し、出力するための分周回路と、前記電源の変動を予測するための電源電圧変動予測手段と、該電源電圧変動予測手段から得られた情報を基に前記複数のクロックを選択的に切り替えるための周波数選択回路と、該周波数選択回路により選択されたクロックをもとに前記クロック発生源の発振異常を検出するための発振停止検出回路とからなることを特徴とする発振停止検出装置。
【００２２】
また、前記電源は複数の蓄電池からなり、前記電源電圧変動予測手段の情報をもとに蓄電池選択回路により前記複数の蓄電池のいずれかを選択してなることを特徴とする発振停止検出装置。
【００２３】
さらに、前記電源電圧変動予測手段は外部からの外部負荷情報信号により予め電源の変動を予測することを特徴とする発振停止検出装置。
【００２４】
本発明の発振停止検出装置では、電源電圧変動予測手段を用いることで、電源状況に応じた発振停止検出回路への入力クロック周波数を選択することができ、発振停止検出回路の誤動作を防止するとともに、発振停止検出回路の消費電流を削減することができる。
【００２５】
【発明の実施の形態】
（第１の実施形態）
第１の実施形態として、電源電圧変動予測手段に電源電圧検出回路１３を用いた場合を説明する。ソーラ時計用等で用いられる蓄電池は、容量値の違いによりそれぞれメリット、デメリットを有する。大きな容量の蓄電池の場合は、一度フル充電すると数日間は、時計等を動かし続けることが可能であるが、充電するまでに時間を要する。小さな容量の蓄電池の場合は、瞬時に大きな電圧まで充電することが可能であるが、数秒間しか時計等を動かすことができない。電源電圧変動についてのみいえば、大きな容量の蓄電池の場合は、電源電圧変動が小さく、小さな容量の蓄電池の場合は、電源電圧変動が大きいということである。
【００２６】
ここで、本発明の発振停止検出装置では、電源電圧変動の小さいという特性を持つ大きな容量の蓄電池を使用する場合には、発振停止検出回路自体で消費する電流を抑えるために発振停止検出回路に入力するクロック周波数を低く、逆に電源電圧変動の大きいという特性を持つ小さな蓄電池を使用する場合には、消費電流よりも発振停止検出回路での誤動作がなくなるように、発振停止検出回路に入力するクロック周波数を高くする形態を取る。
【００２７】
また、電源電圧検出回路は、所望の電源電圧値で出力信号が反転するように設計しておき、所望の電圧以上では電源電圧が大きいと判断、所望の電圧以下では電源電圧が小さいと判断する。
【００２８】
さらに、電源電圧検出回路からの情報により、電源電圧が大きい場合には、発振停止検出回路への入力クロック周波数を低くなるように、逆に、電源電圧が小さい場合には、発振停止検出回路への入力クロック周波数を高くなるように、周波数選択回路を設計しておく。
【００２９】
また、電源電圧検出回路からの情報により、電源電圧が大きい場合には、充電を満たしており、長時間使用できるように大きな蓄電池を使用するように、逆に電源電圧が小さい場合には、素早く大きな電圧へ上げる必要があるので、小さな容量の蓄電池を使用するように、蓄電池選択回路を設計しておく。
【００３０】
図１は、第１の実施形態の発振停止検出装置の概要構成図である。本発振停止検出装置２０は電源電圧を発生させるための電源と、クロック発生源１０と、該クロック発生源１０からのクロックをもとに複数のクロックに分周し、出力するための分周回路１１と、前記電源の変動を予測するための電源電圧変動予測手段と、該電源電圧変動予測手段から得られた情報を基に前記複数のクロックを選択的に切り替えるための周波数選択回路１２と、該周波数選択回路１２により選択されたクロックをもとに前記クロック発生源１０の発振異常を検出するための発振停止検出回路４８とから構成されている。また、前述の電源は複数の蓄電池からなり、前記電源電圧変動予測手段の情報をもとに蓄電池選択回路１４により前記複数の蓄電池のいずれかを選択してなることを特徴としている。
具体的には、クロック発生源１０から出力されるクロック信号ＣＬＫ０は、分周回路１１の入力となり、分周回路１１にて所望の周波数に分周されたクロック信号ＣＬＫ１と、クロック信号ＣＬＫ１とは異なった周波数のクロック信号ＣＬＫ２は、周波数選択回路１２に入力されている。電源電圧検出回路１３から出力される信号ＳＥＬは、蓄電池選択回路１４と、周波数選択回路１２に入力されおり、周波数選択回路１２からのクロック信号ＣＬＫが発振停止検出回路４８の入力クロックとなる。発振停止検出回路４８から出力される情報が発振停止検出信号となる。
【００３１】
図１と、図２と、図４を用いて、急激な電源電圧変動があった場合の発振停止検出回路の動作について説明する。図２の時刻Ｔ１からＴ３までは、クロック発生源１０からクロック信号が出力されている状態で、大きな容量の蓄電池を使用中で急激な電源電圧変動がない場合を示している。図１の電源電圧検出回路１３から供給される電源電圧変化信号ＳＥＬはレベル“Ｌ”である。発振停止検出回路４８の個々の出力に関しては、従来の技術において図５を用いて説明したので省略する。
【００３２】
図２の時刻Ｔ３からＴ５の間で、電源電圧、すなわち電源電位ＶＳＳは、高電位から低電位（接地電位ＧＮＤ側）へと推移する。この段階の電源電圧変動は緩やかなものである。時刻Ｔ３からＴ５の間の時刻Ｔ４にて、図１の電源電圧検出回路１３の働きにより、電源電圧は高電位から低電位に変化した（Ｄ点）ということで、レベル“Ｌ”の電源電圧変化信号ＳＥＬを周波数選択回路と、蓄電池選択回路１４に供給する（Ｅ点）。
【００３３】
電源電圧検出回路１３よりレベル“Ｈ”の信号を入手すると、蓄電池選択回路１４では、電源電位ＶＳＳは高電位から低電位に推移したということで、回路動作停止の懸念から瞬時に大きな電圧まで充電することが必要となり、瞬時に大きな電圧まで充電することが可能な小さな容量の蓄電池の方を選択する。
【００３４】
電源電圧検出回路１３よりレベル“Ｈ”の信号を入手すると、周波数選択回路１２では、電源電位ＶＳＳは高電位から低電位に推移したということで、蓄電池は大きな容量から小さな容量へと移行したということで、大きな容量の蓄電池を使用していた時よりも高いクロック周波数を選択し、発振停止検出回路４８へ供給する。
【００３５】
図２の時刻Ｔ５の段階では、電源電圧検出回路１３からの情報により、蓄電池選択回路１４により小さな容量の蓄電池使用状態、周波数選択回路１２により発振停止検出回路４８へ入力するクロック周波数を高くした形態になっている（図２では、図を簡略化するために、小さな容量の蓄電池使用状態のクロック周波数は、大きな容量の蓄電池使用状態の２倍のクロック周波数にしている）。
【００３６】
図２の時刻Ｔ５からＴ７までは、クロック発生源１０からクロック信号が出力されている状態で、小さな容量の蓄電池を使用中で急激な電源電圧変動がない場合を示している。図１の電源電圧検出回路から供給される電源電圧変化信号ＳＥＬはレベル“Ｈ”にある。大きな容量の蓄電池使用状態に比べて、小さな容量の蓄電池を使用した場合は、クロック周波数が２倍になっただけであり、発振停止検出回路４８の個々の出力動作に関しては、同様なので詳細は省略する。ただし、発振停止検出回路４８内の各素子の出力レベルは電源電圧が低くなった分だけ、電圧振幅も減少する。最終出力インバータ４７の閾値電圧Ｖｔは、電源電圧が低くなった分だけ、接地電位ＧＮＤ側へと近づく。
【００３７】
時刻Ｔ８の直前で電源電圧変動が起こった場合について説明する。時刻Ｔ８の直前というのは、ＮＭＯＳ４４のバルクソース電位Ｎ４と接続しているインバータ４７のゲート電位が閾値電圧Ｖｔに一番近づいている状態である。この状態において、急激な電源電圧変動があった場合（Ｃ点）、インバータ４７のゲート電位は高抵抗素子４５と、容量素子４６の影響により“Ｈ”側に緩やかに上昇中であるので、電源電圧変動の影響をあまり受けない。インバータ４７のバルクソース電位は、急激な電源電圧変動に対して、追従するのでインバータ４７のゲートソース電位（Ｖｇｓ）が大きく変動し、インバータ４７の閾値電圧Ｖｔも電源電圧変動前に比べて変動してしまう（Ａ点）。ここまでは、発振停止検出回路４８に入力するクロック周波数を切り替えない場合と同様である。違うのは、クロック周波数が高い分だけ、インバータ４７のゲート電位は“Ｈ”側へ緩やかに上昇中であるが、急激な電源電圧変動により生じる閾値電圧Ｖｔとはまだ差があるため、インバータ４７の出力ＯＵＴは、“Ｈ”の状態を保持できる（Ｂ点）ということである。このことで、発振停止検出回路４８への急激な電源電圧変動の影響を極力なくすことが可能となり、発振停止検出回路４８の誤動作を防止できる。
【００３８】
（第２の実施形態）
第２の実施形態として、電源電圧変動予測手段に負荷検出回路を用いた場合を説明する。本発振停止検出装置は電源電圧を発生させるための電源と、クロック発生源１０と、該クロック発生源からのクロックをもとに複数のクロックに分周し、出力するための分周回路１１と、前記電源の変動を予測するための電源電圧変動予測手段と、該電源電圧変動予測手段から得られた情報を基に前記複数のクロックを選択的に切り替えるための周波数選択回路１２と、該周波数選択回路１２により選択されたクロックをもとに前記クロック発生源１０の発振異常を検出するための発振停止検出回路４８とから構成されている。また、前記電源電圧変動予測手段は外部からの外部負荷情報信号により予め電源の変動を予測することを特徴としている。
具体的には電源電圧を発生させるための電源により、時計のモータ運針出力、アラーム出力、ＬＣＤ出力に代表されるように外部の素子を駆動する場合、大きな電流を必要とする。特に外部出力をしていない状態から、外部出力を開始した瞬間に、電源電圧も大きく変動する。ここで、図においては外部負荷情報信号という名称を用いているが、外部出力を行う場合、必ずその基になる信号が存在する（例えば制御装置からの負荷制御信号等）ので、その信号を入手し、外部負荷情報信号からの情報により、大電流を消費する外部出力があるかないかを判断し、発振停止検出回路４８に入力するクロック周波数を外部出力がある場合には、発振停止検出回路４８の誤動作を防止するためにクロック周波数を高く、逆に、外部出力のない場合は、発振停止検出回路４８にて消費する電流量を抑えるために、入力するクロック周波数を低くする。
【００３９】
図７は、第２の実施形態の発振停止検出装置２０の概要構成図である。クロック発生源１０から出力されるクロック信号ＣＬＫ０は、分周回路１１の入力となり、分周回路１１にて所望の周波数に分周されたクロック信号ＣＬＫ１と、クロック信号ＣＬＫ１とは異なった周波数のクロック信号ＣＬＫ２は、周波数選択回路１２に入力されている。外部負荷情報信号ＳＥＬは、周波数選択回路１２に入力されおり、周波数選択回路１２からのクロック信号ＣＬＫが発振停止検出回路４８の入力クロックとなる。発振停止検出回路４８から出力される情報が発振停止検出信号となる。
【００４０】
図７の発振停止検出装置の動作は、電源電圧検出回路からの情報と、外部負荷情報信号の違いがあるが、電源電圧変動予測手段により周波数選択回路１２にて、発振停止検出回路４８に入力するクロック周波数を切り替えるという意味では同様である。周波数を切り替えた時の動作は、図２で説明したのと同様であるので省略する。
【００４１】
【発明の効果】
従来では、急激な電源電圧変動に対して、発振停止検出回路の誤動作させないためには、発振停止検出回路に入力するクロック周波数を高める必要があった。そのため、急激な電源電圧変動がない場合でもクロック周波数が高い分だけ、発振停止検出回路で消費する電流も大きくなり、効率が悪かった。
本発明によれば、電源電圧変動予測手段を設けたことにより、状況に応じた発振停止検出回路への入力クロック周波数を周波数選択回路にて選択することができ、発振停止検出回路の誤動作を防止するとともに、クロック周波数を選択的に変えられることにより、発振停止検出回路の消費電流を削減することが可能となった。
【図面の簡単な説明】
【図１】第１の実施形態の発振停止検出装置の概要構成図である。
【図２】本発明の発振停止検出装置の動作タイミングチャートである。
【図３】従来の発振停止検出装置の概要構成図である。
【図４】発振停止検出回路の回路図である。
【図５】発振停止検出回路の動作タイミングチャートである。
【図６】従来の発振停止検出装置の動作タイミングチャートである。
【図７】第２の実施形態の発振停止検出装置の概要構成図である。
【符号の説明】
ＳＥＬ    電源電圧変化信号
ＣＬＫ０  クロック発生源からのクロック信号
ＣＬＫ１  分周回路からのクロック信号
ＣＬＫ２  分周回路からのＣＬＫ１とは異なる周波数のクロック信号
ＣＬＫ    周波数選択回路からのクロック信号
１０  クロック発生源
１１  分周回路
１２  周波数選択回路
１３  電源電圧検出回路
１４  蓄電池選択回路
４８  発振停止検出回路
２０  発振停止検出装置
【図１】
2004165872.tif 000003
【図２】
2004165872.tif 000004
【図３】
2004165872.tif 000005
【図４】
2004165872.tif 000006
【図５】
2004165872.tif 000007
【図６】
2004165872.tif 000008
【図７】
2004165872.tif 000009